(57)【要約】【課題】はんだ吸い取り器の目詰まりを防止する。【解決手段】はんだ吸い取り器１００は、外部と内部とを連通する吸引通路３を有するこて先２と、こて先２を加熱するヒータ部４と、吸引通路３の一端に接続され、ヒータ部４によって加熱されたこて先２により溶融されたはんだを吸引するための吸引ポンプ６と、吸引ポンプ６によって吸引されたはんだを蓄積する除去はんだ蓄積部５と、吸引ポンプ６のＯＮとＯＦＦとを切り替える切替スイッチ７と、吸引通路３全体を閉塞した状態と開放した状態とに切替可能に可動する可動部８と、可動部８が、切替スイッチ７のＯＮ時に吸引通路３を開放状態にするとともに、切替スイッチ７のＯＦＦ時に吸引通路３全体を閉塞状態にするように、可動部８と切替スイッチ７とを連動させる連動機構１０と、を備えている。連動機構１０は、吸引通路３を閉塞する方向に可動部８を常に付勢するばね１１を有している。【選択図】図１
2008284591.tif 000002
【特許請求の範囲】
【請求項１】
外部と内部とを連通する通路を有するこて先と、
前記こて先を加熱する加熱手段と、
前記加熱手段によって加熱されたこて先により溶融された前記通路内のはんだを吸引するための吸引手段と、
前記吸引手段によって吸引されたはんだを蓄積する除去はんだ蓄積部と、
前記吸引手段のＯＮ／ＯＦＦを切り替える切替スイッチと、
前記通路全体を閉塞状態と開放状態とに切替可能に可動する可動部と、
を備えたことを特徴とするはんだ吸い取り器。
【請求項２】
請求項１に記載のはんだ吸い取り器において、
前記可動部が、前記切替スイッチのＯＮ時に前記通路を開放状態にするとともに前記切替スイッチのＯＦＦ時に前記通路全体を閉塞状態にするように、前記可動部と切替スイッチとを連動させる連動機構を備えることを特徴とするはんだ吸い取り器。
【請求項３】
請求項１又は２に記載のはんだ吸い取り器において、
前記連動機構は、前記通路を閉塞する方向に前記可動部を付勢する付勢部材を備え、
前記可動部は、前記切替スイッチのＯＮ時に前記付勢部材の付勢力に抗して前記通路を開放状態にするとともに、前記切替スイッチのＯＦＦ時に前記付勢部材の付勢力により前記通路全体を閉塞状態にすることを特徴とするはんだ吸い取り器。
【請求項４】
外部と内部とを連通する通路を有するこて先と、
前記こて先を加熱するヒータ部と、
前記ヒータ部によって加熱されたこて先により溶融された前記通路内のはんだを吸引するための吸引ポンプと、
前記吸引ポンプによって吸引されたはんだを蓄積する除去はんだ蓄積部と、
前記ヒータ部及び吸引ポンプのＯＮ／ＯＦＦを切り替える切替スイッチと、
前記通路全体を閉塞状態と開放状態とに切替可能に可動する可動部と、
前記可動部が、前記切替スイッチのＯＮ時に前記通路を開放状態にするとともに、前記切替スイッチのＯＦＦ時に前記通路全体を閉塞状態にするように、前記可動部と前記切替スイッチとを連動させる連動機構と、を備え、
前記連動機構は、
前記通路を閉塞する方向に前記可動部を付勢するばねを有し、
前記可動部は、前記切替スイッチのＯＮ時に前記付勢部材の付勢力に抗して前記通路を開放状態にするとともに、前記切替スイッチのＯＦＦ時に前記付勢部材の付勢力により前記通路全体を閉塞状態にすることを特徴とするはんだ吸い取り器。
【発明の詳細な説明】
【技術分野】
【０００１】
本発明は、加熱して溶融したはんだを吸引して除去するはんだ吸い取り器に関する。
【背景技術】
【０００２】
従来、こて先を加熱するヒータ部を備え、加熱されたこて先によって溶融したはんだをこて先に設けられた通路から吸引し、蓄積部に蓄積して除去するはんだ吸い取り器が知られている（例えば、特許文献１参照）。
【０００３】
ところで、加熱により溶融したはんだは、冷却により固化するだけでなく、時間が経つと酸化して変質することとなる。そして、変質したはんだは加熱しても容易に溶融されず、通路内に目詰まりが起きるという問題があった。
【０００４】
かかる問題に鑑みて、例えば、こて先の通路内に設けられて通路の開閉を行う棒状の開閉部材を備え、この開閉部材を通路内に挿通することで、固化したはんだを剥離して取り除く構成としたはんだ吸い取り器が知られている（例えば、特許文献２参照）。
【特許文献１】実開平５−０２８５５９号公報
【特許文献２】実開昭６４−４２７７２号公報
【発明の開示】
【発明が解決しようとする課題】
【０００５】
しかしながら、上記特許文献１に開示されるはんだ吸い取り器は、非吸引時にはこて先の先端を閉塞してはんだごてとして使用されるが、こて先の先端から吸引部（はんだ蓄積部）までの通路に隙間が生じる構成であるため、通路内ではんだの目詰まりが発生しやすいという問題があった。また、上記特許文献２に開示されるはんだ吸い取り器にあっては、非吸引時に通路内を閉塞するものがなく、該通路内に残留したはんだが固化したり変質したりして目詰まりが生じやすいという問題があった。
【０００６】
本発明の課題は、はんだ吸い取り器の目詰まりをより好適に防止することにある。
【課題を解決するための手段】
【０００７】
上記課題を解決するために、請求項１に記載の発明は、はんだ吸い取り器において、
外部と内部とを連通する通路を有するこて先と、
前記こて先を加熱する加熱手段と、
前記加熱手段によって加熱されたこて先により溶融された前記通路内のはんだを吸引するための吸引手段と、
前記吸引手段によって吸引されたはんだを蓄積する除去はんだ蓄積部と、
前記吸引手段のＯＮ／ＯＦＦを切り替える切替スイッチと、
前記通路全体を閉塞状態と開放状態とに切替可能に可動する可動部と、
を備えたことを特徴とする。
【０００８】
請求項２に記載の発明は、請求項１に記載のはんだ吸い取り器において、
前記可動部が、前記切替スイッチのＯＮ時に前記通路を開放状態にするとともに前記切替スイッチのＯＦＦ時に前記通路全体を閉塞状態にするように、前記可動部と切替スイッチとを連動させる連動機構を備えることを特徴とする。
【０００９】
請求項３に記載の発明は、請求項１又は２に記載のはんだ吸い取り器において、
前記連動機構は、前記通路を閉塞する方向に前記可動部を付勢する付勢部材を備え、
前記可動部は、前記切替スイッチのＯＮ時に前記付勢部材の付勢力に抗して前記通路を開放状態にするとともに、前記切替スイッチのＯＦＦ時に前記付勢部材の付勢力により前記通路全体を閉塞状態にすることを特徴とする。
【００１０】
請求項４に記載の発明は、はんだ吸い取り器において、
外部と内部とを連通する通路を有するこて先と、
前記こて先を加熱するヒータ部と、
前記ヒータ部によって加熱されたこて先で溶融した前記通路内のはんだを吸引するための吸引ポンプと、
前記吸引ポンプによって吸引されたはんだを蓄積する除去はんだ蓄積部と、
前記吸引ポンプのＯＮとＯＦＦとを切り替える切替スイッチと、
前記通路全体を閉塞状態と開放状態とに切替可能に可動する可動部と、
前記可動部が、前記切替スイッチのＯＮ時に前記通路を開放状態にするとともに、前記切替スイッチのＯＦＦ時に前記通路全体を閉塞状態にするように、前記可動部と前記切替スイッチとを連動させる連動機構と、を備え、
前記連動機構は、前記通路を閉塞する方向に前記可動部を付勢するばねを有し、
前記可動部は、前記切替スイッチのＯＮ時に前記付勢部材の付勢力に抗して前記通路を開放状態にするとともに、前記切替スイッチのＯＦＦ時に前記付勢部材の付勢力により前記通路全体を閉塞状態にすることを特徴とする。
【発明の効果】
【００１１】
本発明によれば、切替スイッチにより加熱手段と吸引手段とがＯＦＦとされた非吸引時に、可動部がこて先の通路全体を閉塞することができるため、溶融したはんだの通路内への残留を効果的に防止することができる。従って、当該通路内においてはんだが冷却されて固化することがなく、はんだ吸い取り器における通路内の目詰まりを効果的に防止することができる。
【００１２】
また、仮に可動部と通路との間に少量のはんだが残留したとしても、可動部が通路を閉塞することにより、残留したはんだと空気との接触を可能な限り防止することができる。これにより、例えば、当該可動部と通路との間に残留したはんだの、酸化等による変質を防止することができる。
【発明を実施するための最良の形態】
【００１３】
以下、図面を参照して、本発明にかかるはんだ吸い取り器１００を実施するための最良の形態を詳細に説明する。なお、発明の範囲は、以下の説明及び図示例に限定されない。
【００１４】
＜はんだ吸い取り器の構成＞
まず、本実施形態に係るはんだ吸い取り器１００の構成について、図１〜図３を参照して詳しく説明する。
図１は、本発明を適用した好適な実施形態として例示するはんだ吸い取り器１００の構成を示す概略構成図であり、図２、３は、はんだ吸い取り器１００の動作を示す説明図である。
【００１５】
図１に示すように、はんだ吸い取り器１００は、外部と内部とを連通する吸引通路（通路）３を有するこて先２と、こて先２を加熱する加熱手段としてのヒータ部４と、吸引通路３の後端に接続され、ヒータ部４によって加熱されたこて先２により溶融された吸引通路３内のはんだを吸引するための吸引手段としての吸引ポンプ６と、吸引ポンプ６によって吸引されたはんだを蓄積する除去はんだ蓄積部５と、ヒータ部４のＯＮ／ＯＦＦを切り替えるメインスイッチ１５と、吸引ポンプ６のＯＮ／ＯＦＦを切り替える切替スイッチ７と、吸引通路３全体を閉塞状態と開放状態とに切替可能に可動する可動部８と、可動部８が、切替スイッチ７のＯＮ時に吸引通路３を開放状態にするとともに、切替スイッチ７のＯＦＦ時に吸引通路３全体を閉塞状態にするように、可動部８と切替スイッチ７とを連動させる連動機構１０と、を備えている。以下、各部を詳しく説明する。
【００１６】
こて先２は、例えば、銅等の熱伝導体からなり、その内部には熱源となるヒータ部４が埋め込まれている。また、こて先２の内部には、ヒータ部４により加熱されたこて先２により溶融されたはんだ（溶融はんだ）を吸引するための吸引通路３が設けられている。
【００１７】
吸引通路３は、これを通る溶融はんだの流れに対する抵抗を最小限にするため直線状になっている。そして、この吸引通路３は、ヒータ部４がＯＮとされた状態における当該吸引通路３に沿った温度が、はんだを融けた状態に保持するために、はんだの融点より高く維持されるようになっている。これにより、吸引通路３を通って取り除かれた溶融はんだが、こて先２の先端から吸引通路３の後端まで融けた状態で吸引されることとなる。
【００１８】
ヒータ部４は、後述するメインスイッチ１５と電気的に接続されており、メインスイッチ１５がＯＮの間だけ、図示しない外部の電源から電源ケーブルを介して供給される電力によって発熱する。そして、この熱がこて先２に伝達されることで、こて先２が加熱される。なお、ヒータ部４としては、例えば、ニクロム線ヒータや、セラミックヒータ等が採用される。
【００１９】
メインスイッチ１５は、ヒータ部４のＯＮ／ＯＦＦを切り替えるとともに、後述する切替スイッチ７の有効／無効を切り替えるためのスイッチである。すなわち、このメインスイッチ１５は、ＯＮとＯＦＦとの２段階に切り替え可能となっており、当該メインスイッチ１５をＯＮにするとヒータ部４がＯＮされてこて先２の加熱が開始されるとともに、切替スイッチ７による吸引ポンプ６のＯＮ／ＯＦＦの切り替え機能（後述する）が有効となる。一方、このメインスイッチ１５をＯＦＦにすると、ヒータ部４がＯＦＦされてこて先２の加熱が停止するとともに、切替えスイッチ７による吸引ポンプ６のＯＮ／ＯＦＦ切り替え機能が無効となる。
【００２０】
除去はんだ蓄積部５は、本体部１に着脱自在に取付けられている。この除去はんだ蓄積部５は、例えば、透明な耐熱プラスチック材料で円筒状に形成されており、当該除去はんだ蓄積部５内にはフィルタ（はんだ除去フィルタ）９が設けられ、エアーのみを通過させて内部に溶融はんだを溜めるようになっている。そして、除去はんだ蓄積部５の後側には、吸引通路３と除去はんだ蓄積部５内の負圧発生源としての吸引ポンプ６が接続されている。
【００２１】
吸引ポンプ６は、簡易型の真空ポンプである。この吸引ポンプ６は本体部１内の後部側に設置されており、後述する切替スイッチ７と電気的に接続されている。そして、切替スイッチ７がＯＮの間だけ、この吸引ポンプ６が駆動するようになっている。
【００２２】
切替スイッチ７は、図１に示すように、例えば、押しボタンタイプとされ、グリップ部１ａの上側となる本体部１の内側に設けられている。この切替えスイッチ７は、吸引ポンプ６と電気的に接続されており、当該切替スイッチ７がＯＮされている間だけ、吸引ポンプ６を駆動して吸引動作を行うようになっている。
【００２３】
次に、本実施形態における可動部８について説明する。
可動部８は、例えば、図１〜３に示すように、こて先２内に設けられ、該こて先２内の吸引通路３全体を閉塞する閉塞状態（図２参照）と、吸引通路３全体を開放する開放状態（図３参照）とに移動可能に構成されている。この可動部８の一側（図１〜３における上側）は、吸引通路３の内壁と合致する形状をなしており、閉塞状態において吸引通路３の内壁面と密着して当該吸引通路３を閉塞できるようになっている。かかる可動部８は、例えば、こて先２内に設けられた退避溝２ａの内壁面に沿って上下に移動できるようになっている。そして、可動部８における除去はんだ蓄積部５側（後側）の端部には、例えば、後述する連動機構１０のピニオン１３と歯合するラック８ａが設けられている。
【００２４】
次に、本実施形態における連動機構１０について説明する。
連動機構１０は、例えば、図１に示すように、本体部１内に設けられた支点軸１４を中心に回動自在に設けられた引き金１２と、この引き金１２の回動動作に連動して回動するピニオン１３と、上記退避溝２ａ内に設けられ、吸引通路３を閉塞する方向に可動部８を常に付勢する付勢部材としてのばね１１と、を有している。
【００２５】
ばね１１は、図１〜３に示すように、例えば、コイルばね等が採用され、上述したこて先２内の退避溝２ａ内に設けられて可動部８を常に上方に付勢するようになっている。つまり、このばね１１は、可動部８を常に閉塞状態に配置するように付勢するものである。
【００２６】
引き金１２は、例えば、図１に実線で示すように、ユーザによって引かれた際に、本体部１内に設けられた切替スイッチ７を押下してＯＮするとともに、ユーザが当該引き金１２を手放した際に、支点軸１４を中心に回動して、図１に二点鎖線で示す位置に復帰することで切替えスイッチ７をＯＦＦするようになっている。
【００２７】
ピニオン１３は、引き金１２の上端部に固定されており、当該引き金１２の回動動作に連動して支点軸１４を中心に回動するようになっている。このピニオン１３は、可動部８の一端に設けられたラック８ａと歯合していて、引き金１２が引かれた際に図３における反時計周り方向（同図矢印Ｂ方向）に回動することで可動部８を下降させて吸引通路３全体を開放状態にする。一方、引き金１２が手放されると、ピニオン１３は、図３における時計周り方向（同図矢印Ａ方向）に回動することで可動部８を上昇させて吸引通路３全体を閉塞状態にする。これにより、可動部８は、切替スイッチ７のＯＮ時にばね１１の付勢力に抗して吸引通路３全体を開放状態にするとともに、切替スイッチ７のＯＦＦ時にばね１１の付勢力により吸引通路３全体を閉塞状態にするようになっている。
【００２８】
＜実施形態の作用＞
次に、図１〜図３に基づき、はんだ吸い取り器１００の動作説明を行う。
まず、メインスイッチ１５がＯＦＦのときは、ヒータ部４がＯＦＦとされ、且つ、切替えスイッチ７による吸引ポンプ６のＯＮ／ＯＦＦ切り替え機能が無効の状態となっている。
次に、本実施形態のはんだ吸い取り器１００を用いてはんだを除去する場合、メインスイッチ１５をＯＮすると、ヒータ部４がＯＮされて、こて先２がはんだの融点よりも高い所定温度まで加熱される。
【００２９】
次に、ユーザが引き金１２を引くことにより当該引き金１２に連動してピニオン１３が図３に示す矢印Ｂ方向に回動する。これにより、ラック８ａを介して可動部８が、ばね１１の付勢力に抗して下降される。その結果、吸引通路３全体が開放状態となる。さらに、引き金１２に連動して切替スイッチ７がＯＮされるため、吸引ポンプ６が駆動して除去はんだ蓄積部５及び吸引通路３内に負圧が発生する。そして、かかる開放状態で、吸い取る（除去する）箇所のはんだにこて先２を押し当てると、当該箇所のはんだが溶融された時点で、開放状態とされた吸引通路３を通って溶融されたはんだが除去はんだ蓄積部５内に吸い込まれる。そして、フィルタ９で除去されることにより、溶融はんだが除去はんだ蓄積部５内に貯留される。
【００３０】
ここで、はんだ吸い取り器１００によるはんだの吸い取り動作停止の際（つまり、非動作時）は、引き金１２が手放されて規制力が解除されることにより、ばね１１の付勢力によって可動部８が上昇する。上昇した可動部８は、その一側が吸引通路３の内壁に圧接されることにより当該内壁と密着される。これにより、吸引通路３全体が閉塞状態とされる。この閉塞状態において、吸引通路３と可動部８との間には隙間が生じないため、吸引通路３内には溶融はんだが残留しない。従って、次回、このはんだ吸い取り器１００を使用する際には、引き金１２を引くことで可動部８が円滑に下降し、吸引通路３が開放状態になる。
【００３１】
＜実施形態の効果＞
以上説明した本発明に係るはんだ吸い取り器１００によれば、切替スイッチ７により吸引ポンプ６がＯＦＦとされた非吸引時に、可動部８がこて先２の吸引通路３全体を閉塞することができるため、溶融したはんだの吸引通路３内への残留を効果的に防止することができる。従って、当該吸引通路３内においてはんだが冷却されて固化することがなく、はんだ吸い取り器１００における吸引通路３内の目詰まりを効果的に防止することができる。
【００３２】
また、仮に可動部８と吸引通路３との間に少量のはんだが残留したとしても、可動部８が吸引通路３を閉塞することにより、残留したはんだと空気との接触を可能な限り防止することができる。これにより、例えば、当該可動部８と吸引通路３との間に残留したはんだが酸化等により変質することを防止することができる。従って、例えば、メインスイッチ１５を再度ＯＮにして、ヒータ部４をＯＮした際に、当該可動部８と吸引通路３との間に残留したはんだを円滑に溶融させることができる。そして、吸引ポンプ６により吸引することができるため、はんだ吸い取り器１００における吸引通路３内の目詰まりを効果的に防止することができる。
【００３３】
また、連動機構１０により、切替スイッチ７のＯＮ／ＯＦＦ動作（つまり、吸引ポンプ６のＯＮ／ＯＦＦ動作）と、可動部８の開閉動作とを連動させることができるため、引き金１２を操作する一つの動作で、上述の効果を容易に達成することができる。また、ばね１１を設けたことにより、ユーザが引き金１２を手放した際に、可動部８を自動的に上昇させて吸引通路３を閉塞状態とすることができるため、使い勝手がよい。
【００３４】
（その他）
なお、連動機構１０は、本実施形態に限定されるものではなく、引き金１２の回動動作に連動して可動部８を移動できるものであれば所望に構成することができる。すなわち、例えば、引き金１２とラック８ａとの間に複数のギヤ（ピニオンギヤ）を噛ませて構成してもよいし、リンク機構を介して連動させる構成としてもよい。
【００３５】
また、メインスイッチ１５は、例えば、ヒータ部４をＯＦＦするとともに切替えスイッチ７による吸引ポンプ６の切り替え機能を無効とするＯＦＦ状態と、切替えスイッチ７によりヒータ部４と吸引ポンプ６とが同時にＯＮ／ＯＦＦ切り替えられる状態とする第１ＯＮ状態と、ヒータ部４をＯＮ状態とし、且つ、切替えスイッチ７による吸引ポンプ６のＯＮ／ＯＦＦ切り替え機能を有効とする第２ＯＮ状態と、の３段階に切替え可能な構成としてもよい。
【図面の簡単な説明】
【００３６】
【図１】本実施形態に係るはんだ吸い取り器の構成を示す概略構成図である。
【図２】本実施形態に係るはんだ吸い取り器の動作を示す説明図である。
【図３】本実施形態に係るはんだ吸い取り器の動作を示す説明図である。
【符号の説明】
【００３７】
１  本体部
１ａ  グリップ部
２  こて先
３  吸引通路
４  ヒータ部（加熱手段）
５  除去はんだ蓄積部
６  吸引ポンプ（吸引手段）
７  切替スイッチ
８  可動部
８ａ  ラック
９  フィルタ
１０  連動機構
１１  ばね（付勢部材）
１２  引き金
１３  ピニオン
１４  支点軸
１５  メインスイッチ
１００  はんだ吸い取り器
【図１】
2008284591.tif 000003
【図２】
2008284591.tif 000004
【図３】
2008284591.tif 000005